(57)【特許請求の範囲】
【請求項１】
球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記径が広げられた開口部に該開口部を保護する筒体が適合固着されてなることを特徴とする装身用球体。
【請求項２】
球体の上半部の対称位置から該球体の中心部に向けて穴を穿設して両穴の先端部を連結する工程と、該両穴の開口部の径を広げる工程と、前記両穴の連結部の上部に生じた角部を削り取り湾曲部を形成する工程と、前記広げられた開口部に該開口部を保護する筒体を適合固着する工程、とからなることを特徴と装身用球体の製造方法。
【請求項３】
球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記開口部に該開口部を保護する筒体が適合固着された装身用球体の前記両穴部に吊り材が挿通させられてなることを特徴とする装身具。
【請求項４】
球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記開口部に該開口部を保護する筒体が適合固着された装身用球体の一方の開口部から吊り材の一端を挿入し、前記装身用球体を変位させつつ吊り材を前記湾曲部にスライドさせて他方の開口部まで挿通することを特徴とする装身具の製造方法。
【発明の詳細な説明】
【技術分野】
【０００１】
本発明は、装身用球体、装身用球体からなる装身具及びその製造方法に関し、詳しくは、ネックレス、イヤリング等として吊下げられた状態で使用される装身用球体、装身用球体からなる装身具及びその製造方法に関する。
【背景技術】
【０００２】
従来、真珠、球状の宝石等を使用したネックレス、イヤリング等の装身具が提供されている。それらは、一般に同種あるいは異種の真珠、球状の宝石等を数珠繋ぎ等にして構成されている。したがって、装身具として身に付けた場合には個々の真珠、球状の宝石等の向きを特に問題にする必要がない。
【０００３】
しかしながら、一個の装身用球体、例えば、一個の真珠等の適位置に宝石等を埋め込みネックレス、イヤリング等として吊下げられた状態で使用する場合には、前記宝石等が埋め込まれた位置が常に正面を向くように構成しないとその魅力が半減する。
【０００４】
しかしながら、前記のごとき一個の装身用球体の場合には、球状であるがゆえに転動等して安定性を有しないため、前記宝石等が埋め込まれた位置が常に正面を向くように構成することには困難を伴う。
【特許文献１】実開平６−７２４０７公報
【発明の開示】
【発明が解決しようとする課題】
【０００５】
本発明は、前記事情に鑑み、一個の装身用球体からなる装身具において、吊下げられた状態で使用した場合、常にその向きが変更されることがなく、したがって、前記の場合において、宝石等が埋め込まれた位置が常に正面を向くように構成された装身用球体及びその製造方法、前記装身用球体からなる装身具及びその製造方法を提供することを目的とする。
【課題を解決するための手段】
【０００６】
前記課題を解決する請求項１の装身用球体は、球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記広げられた開口部に該開口部を保護する筒体が適合固着されてなることを特徴とする。
【０００７】
なお、前記球体は、真珠、その他各種球状の宝石であってよい。また、球体において「上半部」とは、相対的であり、本発明においては、いわゆる製作者が任意に決めた上半部である。
【０００８】
前記構成によれば、前記両穴に吊り材（例えば、貴金属製のくさり等）を挿通し、吊下げ状態にした場合には、前記両穴が球体の上半部の対称位置から前記球体の中心に向けて設けられているため、前記吊り材に対して前記球体の転動等が阻止され、前記球体の正面、背面が特定される。したがって、正面あるいはさらに背面にも異なるに宝石等を埋め込む等して斬新な装身具を提供することができる。
【０００９】
また、前記球体の上半部の対称位置から球体の中心部に向けて両穴が穿設されているため、前記両穴に吊り材を挿通し、吊下げ状態にした場合には、上半部が前記吊り材により安定的に支持され、同時に下半部も安定させられる。さらに、前記両穴の開口部の径を広げることにより、前記湾曲部の形成が容易であり、該湾曲部の形成により、装身具の製造にあたり、吊り材の挿通をきわめて容易に行なうことができる。
【００１０】
請求項２の前記装身用球体の製造方法は、球体の上半部の対称位置から該球体の中心部に向けて穴を穿設して両穴の先端部を連結する工程と、該両穴の開口部の径を広げる工程と、前記両穴の連結部の上部に生じた角部を削り取り湾曲部を形成する工程と、前記広げられた開口部に該開口部を保護する筒体を適合固着する工程と、からなることを特徴とする。
【００１１】
前記球体の中心部に向けて穴を穿設する工程及び前記角部を削り取り湾曲部を形成する工程は、いずれも超鋼ラウンドシリンダーバー、ドリル等（以下単に「工具」と言う。）を使用して行われる。
【００１２】
前記両穴の連結部の上部に生じた角部を削り取り湾曲部の形成は、前記両穴の開口部の径を広げ、該開口部から工具を挿入して容易に行なうことができる。
【００１３】
すなわち、前記両穴の開口部の径を必要最小限の範囲で縁取りにより広げ、前記両穴の穿設に使用した工具の径よりもさらに細い径の工具を前記径を広げた各開口部から前記角部に向けて斜めに挿入して前記角部を少しずつ削り取り湾曲部を形成するものである。
【００１４】
請求項３の装身具は、球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記開口部に該開口部を保護する筒体が適合固着された装身用球体の前記両穴部に吊り材が挿通されてなることを特徴とする。
【００１５】
この請求項３の装身具では、前記請求項１で述べたごとく、前記吊り材に対して前記装身用球体が転動等させられることがない。したがって、例えば、ネックレスとして身につけた場合には、前記埋め込まれた宝石等が常に正面に維持される。
【００１６】
前記装身具の製造方法の好ましい一例が請求項４に示される。すなわち、球体の上半部の対称位置から該球体の中心部に向けて穿設された両穴の先端部が連結され、該両穴の開口部の径が広げられ、前記両穴の連結部の上部に生じた角部が削り取られて湾曲部が形成され、前記開口部に該開口部を保護する筒体が適合固着された装身用球体の一方の開口部から吊り材の一端を挿入し、前記装身用球体を変位させつつ吊り材を前記湾曲部にスライドさせて他方の開口部まで挿通することを特徴とする装身具の製造方法である。
【００１７】
この請求項４の製造方法によれば、前記装身用球体に対する前記吊り材の挿通が容易である。すなわち、前記球体の上半部の対称位置から前記球体の中心部に向けて穿設された両穴は、その連結部において屈曲させられており、前記球体を変位させて吊り材を挿通しようと試みても該吊り材が前記屈曲部に詰まった状態になり、前記吊り材の挿通が困難である。
【００１８】
しかしながら、前記製造方法によれば、前記両穴の連結部の上部に生じた角部を削り取り、前記湾曲面の形成したことにより、前記球体を変位させつつ前記吊り材を前記湾曲部にスライドさせて、容易に挿通することができる。  
【発明の効果】
【００１９】
本発明の装身用球体によれば、球体の上半部の対称位置から該球体の中心部に向けて穿設された両穴の先端部が連結され、該両穴の上部に生じた角部が削り取られて湾曲部が形成されているため、吊り材によって吊り下げた場合にも前記装身用球体が転動することがなく、その正面、背面が特定される。したがって、正面に異なる宝石等を埋め込む等して斬新な装身具を提供できる。
さらに、前記両穴の開口部の径が広げられ、該広げられた開口部に筒体が適合固着されるため、該筒体の適合固着前において前記角部の削り取りによる湾曲部の形成を容易に行うことができるとともに、前記筒体の適合固着後は前記吊り材に対して前記装身用球体の開口部が保護される。
【００２０】
また、装身具の製造に際し、前記両穴の連結部の上部に形成した湾曲部を利用して、前記両穴に対する前記吊り材の挿通を容易に行うことができる。すなわち、前記球体を変位させつつ前記吊り材を前記湾曲部にスライドさせて前記両穴に吊り材の挿通を容易に行うことができる。
【発明を実施するための最良の形態】
【００２１】
図面は、本発明の実施の一例を示すもので、図１乃至図３は、装飾用球体の製造工程を示す要部断面図、図４は装身具の製造工程を示す要部断面図、図５は装身具の使用状態を示す斜視図である。
【００２２】
前記本発明における前記装身用球体は、真珠、その他、各種の球状宝石で構成される。以下、真珠を例にとって説明する。本発明では、まず、真珠Ｐの上半部Ｕの対称位置Ａ１及びＡ２から前記真珠Ｐの中心部Ｓに向けて工具（図示せず）によって穴１及び２が穿設され、該穴１及び２の先端部が連結される（図１参照）。
【００２３】
なお、前記穴１及び２の径は、例えば、１．６ｍｍφである。また、前記中心部Ｓは、完全な中心部であることを要せず略中心部でよい。さらにまた、前記穴１及び２の連結部の下部は、図示では綺麗なＶ状の凹みに形成されているが、前記工具の先端形状が残されている。
【００２４】
前記穴１及び２の形成により、前記連結部３の上部には角部４が生じる。本発明では、前記角部４が削り取られて湾曲部５が形成される。すなわち、本発明の方法の発明では、前記角部４の削り取り及び湾曲部５の形成は、前記真珠Ｐが小さいこと、さらに該真珠Ｐに穿設した前記穴１及び２の径が１．６ｍｍφときわめて小さいことに鑑み、該穴１及び２の開口部１ａ及び１ｂの径を、例えば、２．３ｍｍφに広げ、該開口部１ａ及び１ｂから工具を挿入して行うものである。
【００２５】
前記のごとく、前記開口部１ａ及び１ｂの径を広げることにより、工具の挿入が容易となり、さらに該工具として前記穴１及び２の穿設に使用した工具の径よりも細い径の工具を使用する等して前記角部４の削り取り及び前記湾曲部５の形成が行われ、本発明の装身用球体Ｄが完成する（図２参照）。
【００２６】
その後、前記開口部１ａ及び１ｂには、前記真珠Ｐの前記開口部１ａ及び１ｂを保護し、前記吊り材６をガイドする筒体７が適合固着される（図３参照）。さらに前記加工に前後して前記吊り材６によって吊下げ状態にした場合に正面となる部分に、図５に示すようにダイヤモンド８等が埋め込み等保持される。
【００２７】
前記構成の本発明の装身具は、前記装身用球体Ｄの穴１及び２に前記吊り材６が挿通されて構成される。なお、吊り材６としては、貴金属製くさり等が使用される。前記装身用球体Ｄに対する本発明の前記吊り材６の挿通方法は、前記装身用球体Ｄの一方の開口部１ａから、前記吊り材６の一端６ａを挿入し、前記装身用球体Ｄを変位させつつ前記吊り材６を前記湾曲面５にスライドさせて行う。
【００２８】
すなわち、前記吊り材６の一端６ａが前記装身用球体Ｄに穿設された穴１及び２内を滑り落ちるように、前記装身用球体Ｄを傾斜させる等して変位させて行う。そして、さらに前記吊り材６の両端部に連結部材（図示せず）が設けられ、例えば、図５に示すように、ネックレスとして使用される。
【図面の簡単な説明】
【００２９】
【図１】本発明の実施の一形態を示し、装身用球体の製造工程を示す要部断面図である。
【図２】本発明の実施の一形態を示し、装身用球体の製造工程を示す要部断面図である。
【図３】本発明の実施の一形態を示し、装身用球体の製造工程を示す要部断面図である。
【図４】本発明の実施の一形態を示し、装身具の製造工程を示す要部断面図である。
【図５】本発明の実施の一形態を示し、装身具の使用状態を示す斜視図である。
【符号の説明】
【００３０】
１、２      穴
３          連結部
４          角部
５          湾曲部
６          吊り材
Ａ１、Ａ２  対称位置
Ｓ          中心部
Ｕ          球体の上半部
【図１】
0004669985.tif 000002
【図２】
0004669985.tif 000003
【図３】
0004669985.tif 000004
【図４】
0004669985.tif 000005
【図５】
0004669985.tif 000006